(57)【特許請求の範囲】
【請求項１】
基板ケースおよび遊技者から見て当該基板ケースの後方に位置する透明な基板カバーを相互に組合せてなる基板ボックスと、
前記基板ボックスの内部に設けられ、負荷を駆動制御するものであって前面および後面のそれぞれを有する制御基板と、
前記制御基板の後面に設けられた信号層と、
前記制御基板に前記信号層の前方に位置して設けられた第１の接地層と、
前記制御基板に前記信号層の後方に位置して設けられ、前記信号層に剥離可能に接着された樹脂シートと、
前記樹脂シートに設けられ、透明金属膜からなる第２の接地層を備え、
前記樹脂シートおよび前記第２の接地層のそれぞれは、前記基板カバーから前記第２の接地層および前記樹脂シートの双方を通して前記信号層を透視することが可能な透明性を有していることを特徴とする遊技機。
【発明の詳細な説明】
【０００１】
【発明の属する技術分野】
本発明は、負荷を駆動制御する制御基板を有する遊技機に関する。
【０００２】
【発明が解決しようとする課題】
上記遊技機には制御基板に制御装置および駆動回路を搭載し、制御装置から駆動回路に制御信号を出力することに基づいて負荷を駆動制御する構成のものがある。この構成の場合、制御基板の信号層にパチンコ球の帯電電荷や不正電波等による外部ノイズが侵入し、制御基板で誤動作が生じる虞れがあるので、耐ノイズ性の点で改善の余地がある。
本発明は上記事情に鑑みてなされたものであり、その目的は、耐ノイズ性の向上を図り得る遊技機を提供することにある。
【０００３】
【課題を解決するための手段】
請求項１記載の遊技機は、基板ケースおよび遊技者から見て当該基板ケースの後方に位置する透明な基板カバーを相互に組合せてなる基板ボックスと、前記基板ボックスの内部に設けられ負荷を駆動制御するものであって前面および後面のそれぞれを有する制御基板と、前記制御基板の後面に設けられた信号層と、前記制御基板に前記信号層の前方に位置して設けられた第１の接地層と、前記制御基板に前記信号層の後方に位置して設けられ前記信号層に剥離可能に接着された樹脂シートと、前記樹脂シートに設けられ透明金属膜からなる第２の接地層を備え、前記樹脂シートおよび前記第２の接地層のそれぞれは前記基板カバーから前記第２の接地層および前記樹脂シートの双方を通して前記信号層を透視することが可能な透明性を有しているところに特徴を有している。
上記手段によれば、信号層の両面に対向して接地層が設けられているので、信号層のノイズに対する電気的な露出量が少なくなる。このため、信号層にパチンコ球の帯電電荷や不正電波等による外部ノイズが侵入し難くなるので、制御基板の耐ノイズ性が向上し、制御基板で誤動作が生じることが防止される。しかも、制御基板からカバーを剥がして信号層を検査等することができるので、制御基板のメンテナンス性が高まる。
【０００７】
【発明の実施の形態】
以下、本発明の一実施例を図面に基づいて説明する。パチンコホールの台島には、図５に示すように、外枠１が設置されている。この外枠１は前後面が開口する四角筒状をなすものであり、外枠１には、図３の（ａ）および（ｂ）に示すように、前面扉２が左側辺部の垂直な両軸３を中心に回動可能に装着されている。また、前面扉２には、図３の（ａ）に示すように、下端部に位置して払出口４が固定されている。この払出口４は前後面が開口する筒状をなすものであり、前面扉２には払出口４の前方に位置して下皿５が固定されている。
【０００８】
前面扉２には横長な長方形状の前板６が左側辺部の垂直な軸（図示せず）を中心に回動可能に装着されており、前板６の左側部には前後面が開口する筒状の払出口７が固定されている。この前板６の前面には上皿８が固定されており、上皿８内にはパチンコ球（図示せず）が貯溜されている。
【０００９】
前面扉２には右下部に位置して発射ハンドル９が回動可能に装着されており、前面扉２の後面には、図５に示すように、発射ハンドル９の後方に位置して発射モータ１０が装着されている。この発射モータ１０の回転軸には、図３の（ａ）に示すように、打球機構（図示せず）を介して打球槌１１が連結されており、打球槌１１は発射モータ１０の回転軸が回転することに基づいて駆動する。
【００１０】
前板６の後面には球送り機構１２が装着されている。この球送り機構１２は打球槌１１に連動して駆動することに基づいて上皿８内のパチンコ球を打球槌１１に送るものであり、打球槌１１は球送り機構１２から供給されるパチンコ球を叩く。
【００１１】
前面扉２の内周面には矩形状の窓枠１３が左側辺部の垂直な軸（図示せず）を中心に回動可能に装着されており、窓枠１３の内周面には透明なガラス窓１４が保持されている。また、前面扉２の後面には機構盤（図示せず）が固定されている。この機構盤には、図４に示すように、遊技盤１５が保持されており、遊技盤１５は前方からガラス窓１４により覆われている。
【００１２】
前面扉２の右側部には、図３の（ａ）に示すように、枠鍵１６が装着されており、枠鍵１６は前面扉２を外枠１の前端面に密着した閉鎖状態にロックし、窓枠１３を前面扉２の内周面に嵌合した閉鎖状態にロックしている。この枠鍵１６には鍵（図示せず）が装備されており、枠鍵１６に鍵を挿入して図３の（ａ）の時計回り方向へ回動操作したときには前面扉２のロックが解除され、反時計回り方向へ回動操作したときには窓枠１３のロックが解除される。
【００１３】
前板６の後面にはロック機構１７が装着されており、ロック機構１７のロック状態では前板６が前面扉２の内周面に嵌合した閉鎖状態に保持されている。このロック機構１７は窓枠１３の開放状態で上方から前板６の後方に手を挿入して操作されるものであり、前板６はロック機構１７をロック状態からアンロック状態に操作することに基づいて開放される。
【００１４】
遊技盤１５の前面には、図４に示すように、外レール１８および内レール１９が固定されており、打球槌１１が叩いたパチンコ球は外レール１８および内レール１９間を通して遊技盤１５内の上部に放出される。また、遊技盤１５には複数の障害釘２０が打込まれており、遊技盤１５内の上部に放出されたパチンコ球は障害釘２０に当りながら落下する。
【００１５】
遊技盤１５の前面には特別図柄始動口２１が固定されている。この特別図柄始動口２１は上面が開口するポケット状をなすものであり、特別図柄始動口２１内には特別図柄始動センサ２２（図２参照）が固定されている。この特別図柄始動センサ２２は近接スイッチからなるものであり、特別図柄始動口２１内にパチンコ球が入球したことを検出して特別図柄始動信号Ｓｔを出力する。
【００１６】
特別図柄始動センサ２２は、図２に示すように、マイクロコンピュータを主体に構成されたメイン制御装置２３（制御部に相当する）に電気的に接続されている。このメイン制御装置２３はＣＰＵ２４，ＲＯＭ２５，ＲＡＭ２６（いずれも図１のａ参照）等を有するものであり、特別図柄始動センサ２２からの特別図柄始動信号Ｓｔを検出する時間的タイミングに基づいて大当りの判定処理を行い、大当りの判定結果に基づいて左列の図柄，中列の図柄，右列の図柄の設定処理を行う。
【００１７】
遊技盤１５には、図４に示すように、表示台板２７が固定されており、表示台板２７にはカラー液晶表示器からなる図柄表示装置２８が保持されている。この図柄表示装置２８は負荷に相当するものであり、図柄表示装置２８には、図２に示すように、駆動部に相当するＬＣＤ駆動回路２９が電気的に接続されている。このＬＣＤ駆動回路２９はマトリクス状に並ぶ複数のトランジスタを主体に構成されたものであり、ＬＣＤ駆動回路２９にはマイクロコンピュータを主体に構成された図柄制御装置３０（制御部に相当する）が電気的に接続されている。この図柄制御装置３０はＣＰＵ，ＲＯＭ，ＲＡＭ（いずれも図示せず）等を有するものであり、ＬＣＤ駆動回路２９を駆動制御することに基づいて図柄表示装置２８の表示内容を制御する。
【００１８】
図柄制御装置３０はメイン制御装置２３に電気的に接続されており、メイン制御装置２３は図柄の設定結果に基づいて図柄指令Ｓｚを設定し、図柄制御装置３０に出力する。すると、図柄制御装置３０は図柄指令Ｓｚに基づいてＬＣＤ駆動回路２９を駆動制御し、図柄表示装置２８に図柄指令Ｓｚに応じた図柄（左列の設定図柄，中列の設定図柄，右列の設定図柄）を表示する。
【００１９】
遊技盤１５には、図４に示すように、特別図柄始動口２１の下方に位置して入賞口台板３１が固定されており、入賞口台板３１には前後面が開口する四角筒状の大入賞口３２が形成されている。この大入賞口３２の前端面には平板状の扉３３が水平な両軸３４を中心に回動可能に装着されており、大入賞口３２の前面は扉３３が垂直状態に回動することに基づいて閉鎖され、扉３３が前方へ倒れた水平状態に回動することに基づいて開放される。
【００２０】
扉３３は負荷に相当する大入賞口ソレノイド３５（図２参照）のプランジャに機械的に連結されている。この大入賞口ソレノイド３５は扉３３の駆動源に相当するものであり、図２に示すように、複数のトランジスタを主体に構成されたソレノイド駆動回路３６（駆動部に相当する）に電気的に接続されている。このソレノイド駆動回路３６にはメイン制御装置２３が電気的に接続されており、メイン制御装置２３は大当りを判定することに基づいてソレノイド駆動回路３６を駆動制御し、扉３３を開閉する（大当り動作）。
【００２１】
大入賞口３２内には大入賞口センサ３７が固定されている。この大入賞口センサ３７は大入賞口３２内にパチンコ球が入賞したことを検出して入賞信号Ｓｎを出力する近接スイッチからなるものであり、メイン制御装置２３に電気的に接続されている。
【００２２】
遊技盤１５の後面には、図５に示すように、正方形状のセンタカバー３８が固定されている。このセンタカバー３８の外周部には矩形枠状のメインセット３９が配設されており、メインセット３９の右側辺部は垂直な軸（図示せず）を介して前面扉２に回動可能に装着されている。これら前面扉２およびメインセット３９にはフックおよびピン（いずれも図示せず）が装着されており、メインセット３９はフックをピンに引掛けることに基づいてセンタカバー３８の外周部に位置する閉鎖状態にロックされている。
【００２３】
メインセット３９の上端部には球タンク４０が固定されている。この球タンク４０は上面が開口する容器状をなすものであり、球タンク４０内にはパチンコ球が貯溜されている。また、メインセット３９には傾斜樋状のタンクレール４１および払出ケース４２が固定されている。この払出ケース４２はタンクレール４１を介して球タンク４０内に繋がっており、払出ケース４２内には球タンク４０内からタンクレール４１内を通してパチンコ球が供給される。
【００２４】
払出ケース４２内には球払出し機構が収納されている。この球払出し機構は負荷に相当する払出モータ４３を駆動源とするものであり、払出モータ４３の駆動時には払出ケース４２内のパチンコ球が下方へ放出される。また、メインセット３９には球通路（図示せず）が設けられている。この球通路の上端部は払出ケース４２内に繋がっており、払出ケース４２内から放出されるパチンコ球は球通路内を落下する。この球通路はメインセット３９の閉鎖状態で上皿８の払出口７および下皿５の払出口４の双方に接続されるものであり、球通路内を落下するパチンコ球は上皿８の払出口７および下皿５の払出口４を通して上皿８内および下皿５内に払出される。
【００２５】
払出モータ４３には、図２に示すように、駆動部に相当するモータ駆動回路４４が電気的に接続されている。このモータ駆動回路４４は複数のトランジスタを主体に構成されたものであり、マイクロコンピュータを主体に構成された払出制御装置４５（制御部に相当する）に電気的に接続されている。この払出制御装置４５はＣＰＵ，ＲＯＭ，ＲＡＭ（いずれも図示せず）等を有するものであり、モータ駆動回路４４を駆動制御することに基づいて払出モータ４３を駆動し、パチンコ球を上皿８内または下皿５内に払出す。
【００２６】
払出制御装置４５はメイン制御装置２３に電気的に接続されており、メイン制御装置２３は特別図柄始動センサ２２からの特別図柄始動信号Ｓｔまたは大入賞口センサ３７からの入賞信号Ｓｎを検出することに基づいて払出制御装置４５に払出指令Ｓｈを出力する。すると、払出制御装置４５は払出指令Ｓｈに基づいてモータ駆動回路４４を駆動制御し、パチンコ球を払出す。
【００２７】
上皿８には、図３の（ａ）に示すように、複数のスリット４６が形成されている。これら複数のスリット４６の後方には負荷に相当するスピーカ４７が固定されており、スピーカ４７には、図２に示すように、駆動部に相当するスピーカ駆動回路４８が電気的に接続されている。このスピーカ駆動回路４８は複数のトランジスタを主体に構成されたものであり、マイクロコンピュータを主体に構成された音制御装置４９（制御部に相当する）に電気的に接続されている。この音制御装置４９はＣＰＵ，ＲＯＭ，ＲＡＭ（いずれも図示せず）等を有するものであり、スピーカ駆動回路４８を駆動制御することに基づいてスピーカ４７を鳴動制御する。
【００２８】
スピーカ制御装置４９はメイン制御装置２３に電気的に接続されており、メイン制御装置２３は遊技の進行状況に応じて音指令Ｓｓを設定し、スピーカ制御装置４９に出力する。すると、音制御装置４９は音指令Ｓｓに基づいてスピーカ駆動回路４８を駆動制御し、スピーカ４７から音指令Ｓｓに応じた効果音を出力する。
【００２９】
前面扉２の上端部には、図３の（ａ）に示すように、枠ランプカバー５０が固定され、遊技盤１５の左上隅部および右上隅部には、図４に示すように、コーナーランプカバー５１が固定されている。これら枠ランプカバー５０内および両コーナーランプカバー５１内には負荷に相当する複数のランプ５２（図２参照）が収納されており、複数のランプ５２には、図２に示すように、駆動部に相当するランプ駆動回路５３が電気的に接続されている。このランプ駆動回路５３は複数のトランジスタを主体に構成されたものであり、マイクロコンピュータを主体に構成されたランプ制御装置５４（制御部に相当する）に電気的に接続されている。このランプ制御装置５４はＣＰＵ，ＲＯＭ，ＲＡＭ（いずれも図示せず）等を有するものであり、ランプ駆動回路５３を駆動制御することに基づいて複数のランプ５２を発光制御する。
【００３０】
ランプ制御装置５４はメイン制御装置２３に電気的に接続されており、メイン制御装置２３は遊技の進行状況に応じて電飾指令Ｓｒを設定し、ランプ制御装置５４に出力する。すると、ランプ制御装置５４は電飾指令Ｓｒに基づいてランプ駆動回路５３を駆動制御し、複数のランプ５２を点滅させる。
【００３１】
メインセット３９の後面には、図５に示すように、左下隅部に位置して電源基板ボックス５５が固定されている。この電源基板ボックス５５内には、図２に示すように、電源基板５６が収納されており、電源基板５６には電源コード（図示せず）が電気的に接続されている。この電源コードは台島の電源装置（図示せず）に電気的に接続されるものであり、電源基板５６には電源コードを通してＡＣ２４Ｖの主電源Ｖinが供給される。この電源基板５６には整流回路５７およびＤＣ／ＤＣ回路５８が搭載されており、整流回路５７は主電源Ｖinを直流電源Ｖout に変換し、ＤＣ／ＤＣ回路５８は直流電源Ｖout に基づいて電圧レベルが異なる各種の駆動電源Ｖccを生成する。
【００３２】
メインセット３９の後面には、図５に示すように、メイン基板ボックス５９および払出基板ボックス６０が固定され、センタカバー３８の後面には図柄基板ボックス６１，音基板ボックス６２，ランプ基板ボックス６３が固定されている。これらメイン基板ボックス５９〜ランプ基板ボックス６３は前面側に位置する鋼板製の基板ケースと後面側に位置する透明な合成樹脂製の基板カバーとを組合せることに基づいて構成されたものであり、メイン基板ボックス５９内，払出基板ボックス６０内，図柄基板ボックス６１内，音基板ボックス６２内，ランプ基板ボックス６３内には、図２に示すように、メイン制御基板６４，払出制御基板６５，図柄制御基板６６，音制御基板６７，ランプ制御基板６８が収納されている。
【００３３】
メイン制御基板６４〜ランプ制御基板６８は多層プリント配線基板からなるものであり、メイン制御基板６４〜ランプ制御基板６８の後面には、図１の（ｂ）にメイン制御基板６４を代表して示すように、印刷パターンからなる信号層６９が形成されている。
【００３４】
メイン制御基板６４〜ランプ制御基板６８の内部には印刷パターンからなる接地層７０および電源層７１が形成されている。これらメイン制御基板６４〜ランプ制御基板６８の接地層７０および電源層７１は信号層６９の全域に対応する大きさを有するものであり、自身の基板ケースおよびリード線を介して電源基板５６にアース接続されている。また、メイン制御基板６４〜ランプ制御基板６８の電源層７１は電源基板５６にリード線を介して接続されており、メイン制御基板６４〜ランプ制御基板６８には電源基板５６から各種の駆動電源Ｖccが供給される。
【００３５】
メイン制御基板６４〜ランプ制御基板６８の後面には信号層６９の上からＧＮＤカバー７２が装着されている。これら各ＧＮＤカバー７２は絶縁性を有する透明な樹脂シート７３の後面に透明金属膜７４を形成してなるものであり、樹脂シート７３はメイン制御基板６４〜ランプ制御基板６８の後面に接着され、透明金属膜７４はメイン制御基板６４〜ランプ制御基板６８の接地層７０に電気的にアース接続されている。これら各透明金属膜７４は酸化錫を真空蒸着法により蒸着したものであり、膜圧が極めて薄いことから信号層６９の信号パターンを後方から基板カバーを通して透視できる程度の透明性を有している。尚、透明金属膜７４は接地層に相当するものであり、信号層６９の全域に対応する大きさを有している。
【００３６】
メイン制御基板６４の信号層６９には、図１の（ａ）に示すように、メイン制御装置２３およびソレノイド駆動回路３６が搭載されており、メイン制御装置２３のＣＰＵ２４，ＲＯＭ２５，ＲＡＭ２６，ソレノイド駆動回路３６はＧＮＤカバー７２の貫通孔７５内に挿入されている。これらメイン制御装置２３およびソレノイド駆動回路３６の信号端子はメイン制御基板６４の信号層６９に電気的に接続され、電源端子は接地層７０および電源層７１間に電気的に接続されており、メイン制御装置２３およびソレノイド駆動回路３６にはメイン制御基板６４の電源層７１から駆動電源Ｖccが印加される。
【００３７】
払出制御基板６５の信号層６９には払出制御装置４５およびモータ駆動回路４４が搭載されており、払出制御装置４５のＣＰＵ，ＲＯＭ，ＲＡＭ，モータ駆動回路４４はＧＮＤカバー７２の貫通孔７５内に挿入されている。これら払出制御装置４５およびモータ駆動回路４４の信号端子は払出制御基板６５の信号層６９に電気的に接続され、電源端子は接地層７０および電源層７１間に電気的に接続されており、払出制御装置４５およびモータ駆動回路４４には払出制御基板６５の電源層７１を通して駆動電源Ｖccが印加される。
【００３８】
図柄制御基板６６の信号層６９には図柄制御装置３０およびＬＣＤ駆動回路２９が搭載されており、図柄制御装置３０のＣＰＵ，ＲＯＭ，ＲＡＭ，ＬＣＤ駆動回路２９はＧＮＤカバー７２の貫通孔７５内に挿入されている。これら図柄制御装置３０およびＬＣＤ駆動回路２９の信号端子は図柄制御基板６６の信号層６９に電気的に接続され、電源端子は接地層７０および電源層７１間に電気的に接続されており、図柄制御装置３０およびＬＣＤ駆動回路２９には図柄制御基板６６の電源層７１を通して駆動電源Ｖccが印加される。
【００３９】
音制御基板６７の信号層６９には音制御装置４９およびスピーカ駆動回路４８が搭載されており、音制御装置４９のＣＰＵ，ＲＯＭ，ＲＡＭ，スピーカ駆動回路４８はＧＮＤカバー７２の貫通孔７５内に挿入されている。これら音制御装置４９およびスピーカ駆動回路４８の信号端子は音制御基板６７の信号層６９に電気的に接続され、電源端子は接地層７０および電源層７１間に電気的に接続されており、音制御装置４９およびスピーカ駆動回路４８には音制御基板６７の電源層７１を通して駆動電源Ｖccが印加される。
【００４０】
ランプ制御基板６８の信号層６９にはランプ制御装置５４およびランプ駆動回路５３が搭載されており、ランプ制御装置５４のＣＰＵ，ＲＯＭ，ＲＡＭ，ランプ駆動回路５３はＧＮＤカバー７２の貫通孔７５内に挿入されている。これら音制御装置５４およびランプ駆動回路５３の信号端子はランプ制御基板６８の信号層６９に電気的に接続され、電源端子は接地層７０および電源層７１間に電気的に接続されており、ランプ制御装置５４およびランプ駆動回路５３にはランプ制御基板６８の電源層７１を通して駆動電源Ｖccが印加される。
【００４１】
尚、メイン制御装置２３およびソレノイド駆動回路３６，払出制御装置４５およびモータ駆動回路４４，図柄制御装置３０およびＬＣＤ駆動回路２９，音制御装置４９およびスピーカ駆動回路４８，ランプ制御装置５４およびランプ駆動回路５３はリード端子がメイン制御基板６４，払出制御基板６５，図柄制御基板６６，音制御基板６７，ランプ制御基板６８のスルーホールに挿入実装されるものであり、メイン制御基板６４〜ランプ制御基板６８の前面はリード端子を信号層６９，接地層７０，電源層７１にディッピング（浸漬半田付け）するための半田面７６として機能する。
【００４２】
メイン制御基板６４の接地層７０および電源層７１間には特別図柄始動センサ２２，大入賞口センサ３７が電気的に接続されており、特別図柄始動センサ２２および大入賞口センサ３７にはメイン制御基板６４を通して駆動電源Ｖccが印加される。
【００４３】
前面扉２の後面には、図５に示すように、発射モータ１０の右側に位置して発射基板ボックス７７が固定されており、発射基板ボックス７７内には、図２に示すように、発射制御基板７８が収納されている。この発射制御基板７８は払出制御基板６５にリード線を介して電気的に接続されており、発射制御基板７８には電源基板５６から払出制御基板６５を通して主電源Ｖinが供給される。
【００４４】
発射制御基板７８にはモータ駆動回路７９が搭載されている。このモータ駆動回路７９にはリード線を介して発射モータ１０が電気的に接続されており、モータ駆動回路７９は発射ハンドル９が図３の（ａ）の時計回り方向へ操作されたことを検出して発射モータ１０に駆動電源Ｖinを印加する。
【００４５】
上記実施例によれば、メイン制御基板６４の信号層６９の前後両面に接地層７０および透明金属膜７４を設けたので、信号層６９のノイズに対する電気的な露出量が少なくなる。このため、信号層６９にパチンコ球の帯電電荷や不正電波等による外部ノイズが侵入し難くなるので、メイン制御基板６４の耐ノイズ性が向上し、メイン制御基板６４のメイン制御装置２３およびソレノイド駆動回路３６で誤動作が生じることが防止される。
【００４６】
また、メイン制御基板６４の信号層６９の後面に透明金属膜７４を有するＧＮＤカバー７２を被せた。このため、メイン制御基板６４からＧＮＤカバー７２を剥がして信号層６９を検査等することができるので、メイン制御基板６４のメンテナンス性が高まる。
【００４７】
また、メイン制御基板６４として内部に接地層７０が形成された多層プリント配線基板を用いた。このため、接地層７０に外部ノイズが一層侵入し難くなるので、メイン制御基板６４の耐ノイズ性が一層向上する。
また、メイン制御基板６４の接地層７０およびＧＮＤカバー７２の透明金属膜７４を信号層６９の全域に対応する大きさに形成したので、信号層６９のノイズに対する電気的な露出量が一層少なくなり、電磁的なシールド効果が高まる。このため、信号層６９に外部ノイズが一層侵入し難くなるので、メイン制御基板６４の耐ノイズ性が一層向上する。
【００４８】
また、メイン基板ボックス５９の後方の基板カバーおよびメイン制御基板６４のＧＮＤカバー７２を透明に形成したので、メイン制御基板６４の信号層６９を後方から視認することができる。このため、信号層６９の改竄等を容易に発見することができるので、セキュリティ性が高まる。
【００４９】
また、メイン制御基板６４の接地層７０および透明金属膜７４をメイン基板ボックス５９の金属部（基板ケース）にアース接続した。このため、接地層７０および透明金属膜７４の電気的な面積が広がるので、外部ノイズのシールド効果が一層高まる。尚、上記各効果は払出制御基板６５，図柄制御基板６６，音制御基板６７，ランプ制御基板６８についても同一である。
【００５０】
尚、上記実施例においては、メイン制御基板６４〜ランプ制御基板６８の信号層６９の後面に透明なＧＮＤカバー７２を被せたが、これに限定されるものではなく、例えば樹脂シートに有色金属膜を形成してなる不透明なＧＮＤカバーを被せても良い。
また、上記実施例においては、メイン制御基板６４〜ランプ制御基板６８として多層プリント配線基板を用いたが、これに限定されるものではなく、両面プリント配線基板を用いても良い。この場合、両面プリント配線基板の前面および後面に接地層および信号層を形成し、後面の信号層の上にＧＮＤカバー７２を被せると良い。
【００５１】
また、上記実施例においては、メイン制御基板６４〜ランプ制御基板６８の後面に信号層６９を形成したが、これに限定されるものではなく、例えばメイン制御基板６４〜ランプ制御基板６８の前面に信号層６９を形成し、信号層６９に上面側から透明なＧＮＤカバー７２または不透明なＧＮＤカバーを被せても良い。また、上記実施例においては、メイン制御装置２３等のリード端子をディップ半田付けしたが、これに限定されるものではなく、例えばリフロー半田付けしても良い。
【００５２】
また、上記実施例においては、メイン制御基板６４〜ランプ制御基板６８にＧＮＤカバー７２を被せることに基づいて信号層６９をＧＮＤカバー７２の透明金属膜７４および接地層７０間でサンドイッチしたが、これに限定されるものではなく、例えば信号層と信号層をサンドイッチする一対の接地層とを多層プリント配線基板に印刷パターンにより形成しても良い。
【００５３】
また、上記実施例においては、大当り図柄の表示に連動して大当り動作が行われる１種のパチンコ機に本発明を適用したが、これに限定されるものではなく、例えば２種または３種のパチンコ機に適用しても良い。前者の２種のパチンコ機はパチンコ球が始動口内に入賞することに基づいて中央役物が開放動作を行うものであり、中央役物の開放時に中央役物のＶゾーン内にパチンコ球が入賞することに基づいて中央役物が大当り動作を行う。後者の３種のパチンコ機は大当り図柄の表示に連動して特別入賞口が開放されるものであり、特別入賞口の開放時に特別入賞口内にパチンコ球が入賞することに基づいて大当り動作が行われる。上記実施例には特許請求の範囲に記載された発明に加えて次の［発明１］〜［発明４］が記載されている。
［発明１］
負荷を駆動制御する制御基板を備え、前記制御基板には信号層の両面に対向して接地層が設けられていることを特徴とする遊技機。この発明１によれば信号層の両面に対向して接地層が設けられているので、信号層のノイズに対する電気的な露出量が少なくなる。このため、信号層にパチンコ球の帯電電荷や不正電波等による外部ノイズが侵入し難くなるので、制御基板の耐ノイズ性が向上し、制御基板で誤動作が生じることが防止される。
［発明２］
前記制御基板には前記信号層の一面に対向して印刷パターンからなる接地層が形成され、前記信号層の他面に対向してカバーからなる接地層が被せられていることを特徴とする発明１に記載の遊技機。この発明２によれば制御基板からカバーを剥がして信号層を検査等することができるので、制御基板のメンテナンス性が高まる。
［発明３］
前記制御基板は少なくとも一方の接地層が内部に形成された多層プリント配線基板からなることを特徴とする発明１または２に記載の遊技機。この発明３によれば少なくとも一方の接地層に外部ノイズが一層侵入し難くなるので、制御基板の耐ノイズ性が一層向上する。
［発明４］
前記両接地層は前記信号層の略全域に対応して設けられていることを特徴とする発明１ないし３のいずれかに記載の遊技機。この発明４によれば信号層のノイズに対する電気的な露出量が一層少なくなるので、信号層の電磁的なシールド効果が高まる。このため、信号層に外部ノイズが一層侵入し難くなるので、制御基板の耐ノイズ性が一層向上する。
【００５４】
【発明の効果】
本発明の遊技機によれば、信号層の両面に対向して接地層を設けた。このため、信号層に外部ノイズが侵入し難くなるので、制御基板の耐ノイズ性が向上し、制御基板で誤動作が生じることが防止される。しかも、制御基板からカバーを剥がして信号層を検査等することができるので、制御基板のメンテナンス性が高まる。
【図面の簡単な説明】
【図１】本発明の一実施例を示す図（ａはメイン制御基板の外観を示す斜視図、ｂはＸ線に沿う断面図）
【図２】電気的構成を示すブロック図
【図３】（ａ）は全体構成を示す前面図、（ｂ）は全体構成を上皿の除去状態で示すＸ視図
【図４】遊技盤を示す前面図
【図５】全体構成を示す後面図
【符号の説明】
２８は図柄表示装置（負荷）、３５は大入賞口ソレノイド（負荷）、４３は払出モータ（負荷）、４７はスピーカ（負荷）、５２はランプ（負荷）、６４はメイン制御基板（制御基板）、６５は払出制御基板（制御基板）、６６は図柄制御基板（制御基板）、６７は音制御基板（制御基板）、６８はランプ制御基板（制御基板）、６９は信号層、７０は接地層、７２はＧＮＤカバー（カバー）、７４は透明金属膜（接地層）を示す。
【図１】
0004478909.tif 000002
【図２】
0004478909.tif 000003
【図３】
0004478909.tif 000004
【図４】
0004478909.tif 000005
【図５】
0004478909.tif 000006